(57)【特許請求の範囲】
【請求項１】
ハンガーボード１を設け、ハンガーボード１へ取り付ける竿具２を設け、ハンガーボード１に於いて、中央へ背板３を設け、背板３の両側へ谷折り線の側折線４を介して側板５を対の状態で設け、側板５は縦長矩形が基本であるが自由にデザインした形状にして設け、側板５の下縁へ係止凹部６を設け、係止凹部６の側外縁を内側へ少々突出させて突起７を設け、背板３の底辺へ谷折り線の底折線８を介して底板９を設け、底板９の両側へ組み立て時に係止凹部６と接する箇所へ係止片１０を設け、係止片１０の基部は窪んでおり、側折線４の下端部領域を切り込んで切溝１１として設け、背板３へ竿具２を引掛ける為の引掛け孔１２を整列した状態で複数設け、引掛け孔１２は縦長矩形が基本となっているが両側縁が内側へ迫り出す括れ域１３を設け、括れ域１３の形状は角の丸い『フ』の字状であり、括れ域１３を介する上部領域を棚域１４として設け、引掛け孔１２の下縁を引掛け底辺１５として設け、竿具２に於いて、基盤１６を中央に設け、基盤１６の正面中央から正面方向へ水平に飛び出して竿棒１７を設け、竿棒１７の先端は脱落防止の目的から上方へ屈折しており、基盤１６は円形を基本としているが上下縁は水平な平縁を成し、基盤１６の上縁から背方へ水平に突出させ、突出箇所の背縁を直角に上方へ屈折させた『Ｌ』字形状で支板１８を設け、基盤１６の下縁から背方へ水平に突出させ、突出箇所の背縁を直角に下方へ屈折させた逆さの『Ｌ』字形状でロック板１９を設けるのであり、ロック板１９の縦板は短くて背部上方から正面部下方へかけて傾斜させて切り取った傾斜部２０を設け、引掛け孔１２へ竿具２を引掛ける方法は支板１８の縦板を横にして棚域１４へ通し、支板１８の屈折箇所の内側を支点として竿棒１７を引き下ろす事によってロック板１９が引掛け底辺１５の裏側へ来てロックされるのであり、ロック板１９に傾斜部２０がある事によって引掛け底辺１５をスムーズに越える事ができ、竿具１２は取り外して輸送しても良く、支板１８の端部の両側へ出っ張りを設けたり、裏面を接着テープで接着する事によって支板１８が蝶番の役目を果たす様にしても良く、ハンガーボード１は紐２１によって吊されるので、ハンガーボード１の上端部領域の両側へ吊り下げ穴２２を対で設け、ハンガーボード１を吊り下げる紐２１を長めにして、紐２１の中央領域へ自由にデザイン化された形状のＰＲ板２３を設け、ＰＲ板２３へ紐２１を通す事から下端部領域の両側と上部領域へ対の状態で吊り下げ穴２２を設けた、ハンガー陳列ボード。
【発明の詳細な説明】
【０００１】
【発明の属する技術分野】
本発明は、吊り下げて陳列販売する為のハンガー陳列ボードに関する。
【０００２】
【従来の技術】
従来のハンガー陳列ボードは、底板と側板の底辺どうしを接着固定して、底板の背部角から４５度の折線を入れる事によって折り畳む構造で、竿具は別個の物を差し込んで固定していた。
【０００３】
【発明が解決しようとする課題】
糊の接着を省く事によって製造を簡略化し、竿具を予め連接しておく事によって紛失を防ぐ事の解決を目的とする。
【０００４】
【課題を解決するための手段】
上記目的を達成する為に、側板の底辺へ係止凹部を設け、底板の両側へ係止片を突出させて係止凹部へ嵌め込んで固定するのであり、係止凹部の外側縁を内側へ軽く突出させた突起を設ける事によって係止片が重力で下がって外れるのを防ぎ、係止片の基部が突起とのぶつかりを回避する目的で側折線の下端部領域へ切溝を設け、ハンガーボードの背板へは複数の引掛け孔を整列した状態で設け、引掛け孔へ引掛けて固定する竿棒の基盤の上部へ支板を設け、支板は蝶番の働きを成し、竿棒は上げられた状態で収納されており、竿棒を引き下ろして水平にする事で基盤の下に設けられたロック板が引掛け孔の引掛け底辺の裏側へ位置して竿具はロックされる。
【０００５】
【発明の実施の形態】
本発明は腰のある厚紙を素材に用い、竿具は硬質のプラスチックを素材に用いて製造する。
【０００６】
本発明の実施の形態について図面を参照して説明すると、本発明のハンガーボードを展開した状態で示す平面図の図１に於いて、背板３を縦長矩形で設け、背板３の両側へ谷折り線の側折線４を介して側板５を対で設け、側板５は縦長矩形が基本であるが例えば商品が横から見て目立ち易い様に商品陳列箇所の部分の箇所を窪ますなどの自由にデザインした形状にして設け、側板５の底辺へ係止凹部６を設け、係止凹部６は底辺の中央よりも外側へずれた箇所に位置付け、係止凹部６は横長矩形であるが、外側縁を『フ』の字形状に突出させて突起７として設け、突起７の上外部領域はシートの厚み分よりやや広めに空け、背板３の下縁へ谷折り線の底折線８を介して底板９を横長矩形で設け、底板９の両側へ組み立て時に係止凹部６と接する箇所へ係止片１０を突出させて設け、係止片の上下両端縁を半円形状で突出させる事によって係止片１０の基部は窪んだ状態と成り、この窪みの内外側の方は突起７とぶつかり、このぶつかりを背方へ回避する目的で側折線４の下端部領域を切り込んで切溝１１を設け、背板３へ複数の引掛け孔１２を整列した状態で設け、引掛け孔１２の形状は縦長矩形であるが、両側を『フ』の字状に突出させて括れ域１３を設け、括れ域１３の上外領域は竿具の支板の厚みよりやや広くしたスペースを残して棚域１４として設け、引掛け孔１２の底辺部を引掛け底辺１５と称して設け、ハンガーボード１は紐で吊り下げて使用する事から、背板３の上端領域の両側へ吊り下げ穴２２を設け、吊り下げ紐はやや長めに取って、その中央領域へＰＲ板２３を通して設け、ＰＲ板２３は矩形や自由にデザイン化された形状で、上下領域に紐を通す為の吊り下げ穴２２を設ける。
【０００７】
商品を吊り下げるのに用いる竿具を正面方向から示した斜視図の図２に於いて、基盤１６を設け、基盤１６は円形が基本であるが上下縁を水平な平面にし、基盤１６の正面中央を正面方向へ直角に円柱棒で突出させて竿棒１７を設け、竿棒１７の端部領域は上へ屈折しており、基盤１６の上縁を背方へ水平にハンガーボードのシートの厚みよりやや多い目に伸ばして伸ばされた面の背縁を上へ直角に伸ばして『Ｌ』形状の支板１８を設け、基盤１６の下縁を背方へ水平にハンガーボードのシートの厚みよりやや多い目に伸ばして伸ばされた面の背縁を下へ直角に伸ばして逆さの『Ｌ』形状でロック板１９を設け、ロック板１９の縦板は短く、屈折角の外側箇所よりやや下の位置から正面下方向へ４５度の角度を有する傾斜面で傾斜部２０を設ける。
【０００８】
ハンガーボードの下部領域を左側面方向から部分的に示した斜視図の図３に於いて、側板５を正面方向へ折り起こし、底板９を持ち上げて固定するのであり、この固定つまりロックの方法は係止凹部６へ係止片１０の基部が嵌合して行われ、係止片１０が嵌め込まれる直前の段階では突起７と係止片１０の外側基部とがぶつかっており、このぶつかりを回避する方法として切溝１１が設けられており、切溝１１が開く事によって背板３の下端部領域は背方へ湾曲して突起７とのぶつかりを回避し、突起７を上へ過ぎた直後に背板３の下部領域がバネの働きをして突起７の上のスペースに収まって係止片１０はロックされ、側板５の横への広がりを防止する他、底板９が重力によって下へ外れるのを防止する。
【０００９】
本発明を組み立てた状態で正面方向から示した斜視図の図４に於いて、側板５下部に有する係止凹部６へ底板９に有する係止片１０が勘合している事によって糊で接着しなくても立体的に組み立てられ、竿具２の竿棒１７へ商品は吊されて陳列販売され、本発明は紐２１で吊され、紐２１の中間地点へＰＲ板２３を付ける事によって商品のＰＲ効果を高める事ができる。
【００１０】
竿具の嵌め込まれた状態を背部から部分的に示した要部透視斜視図の図５に於いて、竿具２を引掛け孔１２へ取り付ける手順は基盤１６の上端に有する支板１８を棚域１４へ挿入して縦に９０度回転させる事で支板１８の縦板が背板３の背面へ回ってロックされ、引掛け孔１２の両側が内側へ食み出して括れ域１３を設けて棚域１４を有した事によって、支板１８の縦回転挿入時に支板１８が下へずれ落ちるのを防止する事ができ、竿具２の基盤１６が背板３へ接する状態になればロック板１９は引掛け底辺１５上を乗り越えて背板３の背面でロックされ、傾斜部２０を設けた事によってロック板１９の背下角がぶつからずに引掛け底辺１５の乗り越えをスムーズに行える。
【００１１】
本発明の収納状態を正面方向から示した斜視図の図６に於いて、係止凹部６と係止片１０とが嵌合していなければ側板５の底辺と底板９の側辺とが離れていて平な状態と成り、竿具２は引掛け孔１２の上端箇所で上向きに倒された状態で収納される。
【００１２】
図６で表示した竿具２が引掛け孔１２へ引掛けられている状態の一つを拡大して示した斜視図の図７に於いて、支板１８は棚域１４へ引っ掛かっている事によって蝶番の役目を果たし、引掛け孔１２と常に連接している事によって竿具２が紛失する恐れは無くなり、支板１８が棚域１４から脱落するのを防止する方法として、支板１８の端部の両側へ突出箇所を設けても良く、支板１８の背端縁を接着テープによって固定しても良い。
【００１３】
【発明の効果】
係止凹部へ係止片が嵌合する事によって側板の底辺と底板の両側が連接されるので糊で接着しなくても立体的に組み立てる事ができ、引掛け孔の上部領域へ棚域を設け、棚域へ支板を差し込む事によって蝶番の役目を果たし、竿具２は上方へ折り倒されて平な状態と成り、常に連接されている事から紛失の恐れが無くなる。
【図面の簡単な説明】
【図１】本発明のハンガーボードを展開した状態で示す平面図。
【図２】竿具を正面方向から示した斜視図。
【図３】ハンガーボードの下部領域を左側面方向から部分的に示した斜視図。
【図４】本発明を組み立てた状態で正面方向から示した斜視図。
【図５】竿具の嵌め込まれた状態を背部から部分的に示した要部透視斜視図。
【図６】本発明の収納状態を正面方向から示した斜視図。
【図７】図６で表示した竿具の取り付け状態の一つを拡大して表示した斜視図。
【符号の説明】
１  ハンガーボード
２  竿具
３  背板
４  側折線
５  側板
６  係止凹部
７  突起
８  底折線
９  底板
10  係止片
11  切溝
12  引掛け孔
13  括れ域
14  棚域
15  引掛け底辺
16  基盤
17  竿棒
18  支板
19  ロック板
20  傾斜部
【図１】
0003662307.tif 000002
【図２】
0003662307.tif 000003
【図３】
0003662307.tif 000004
【図４】
0003662307.tif 000005
【図５】
0003662307.tif 000006
【図６】
0003662307.tif 000007
【図７】
0003662307.tif 000008